(57)【要約】【課題】狭隘な箇所であってもワイヤレス給電方式の携帯端末を充電可能な非接触充電器、センターコンソールを提供する。【解決手段】本考案の非接触充電器１０は、車両のドリンクホルダーに着脱するケーシング２０と、  前記ケーシング２０の上面に設けて携帯端末を載せて充電可能な充電手段３０と、  前記ケーシング２０の内部に設けて前記充電手段３０を待機位置から上方の充電位置へ付勢する付勢部４２と、前記載置面を前記待機位置で仮止めする係合部４４からなる昇降手段４０を備えたことを特徴とする。【選択図】    図１
0003219673.tif 000002
【実用新案登録請求の範囲】
【請求項１】
車両のドリンクホルダーに着脱するケーシングと、
前記ケーシングの上面に設けて携帯端末を載せて充電可能な充電手段と、
前記ケーシングの内部に設けて前記充電手段を待機位置から上方の充電位置へ付勢する付勢部と、前記充電手段を前記待機位置で仮止めする係合部からなる昇降手段を備えたことを特徴とする非接触充電器。
【請求項２】
請求項１に記載された非接触充電器であって、
前記充電手段は、前記携帯端末に吸着する摩擦係数の大きい部材を載置面に設けたことを特徴とする非接触充電器。
【請求項３】
請求項１又は請求項２に記載された非接触充電器であって、
前記付勢部は、前記待機位置から前記充電位置への付勢力を段階的に緩和するダンパーを設けたことを特徴とする非接触充電器。
【請求項４】
請求項１ないし３のいずれか１に記載された非接触充電器であって、
前記充電手段の充電面を所定角度に傾ける角度調整部を備えたことを特徴とする非接触充電器。
【請求項５】
カバーで上面開口が覆われる凹部を有するセンターコンソールにおいて、
前記凹部の上面に設けて携帯端末を載せて充電可能な充電手段と、
前記凹部の内部に設けて前記充電手段を前記カバーが閉じた待機位置から前記カバーが開いた上方の充電位置へ付勢する付勢部と、前記充電手段を前記待機位置で仮止めする係合部からなる昇降手段を備えたことを特徴とするセンターコンソール。
【考案の詳細な説明】
【技術分野】
【０００１】
本考案は車両内でＱｉ規格に準拠した各種携帯端末を充電可能な非接触充電器、センターコンソールに関する。
【背景技術】
【０００２】
近年、ワイヤレス給電方式を採用した携帯電話などの各種携帯端末が増加する傾向にある。
このような方式を採用する非接触充電器は、一般に本体上面の充電面に各種携帯端末を載置するだけで充電が行える（例えば特許文献１に開示）。そして低背化・小型化した非接触充電器を携帯することにより電源が確保できる外出先で手軽に充電できる。
車両内においても非接触充電器を利用することが多々あり、それは主に電源を確保し易いセンターコンソール内で充電が行われている。
【０００３】
図１８はセンターコンソールの説明図であり、（１）はカバーが開いた状態、（２）はカバーを閉じた状態を示す。車両のセンターコンソール１は、運転席と助手席のシート間のスペースにドリンクホルダー２、小物入れ３等を有している。このようなセンターコンソール１の中には、上面に凹状のスペースを設けて、そのスペース内にドリンクホルダー２、小物入れ３などを配置して、さらにドリンクホルダー１を覆うカバー（スライド（引き戸）式、開き戸式等があり、同図はスライド式）４で覆うことができる車種もある。
しかしながら、近年画面が大型化している携帯端末を、このような凹状スペースの狭隘な小物入れ上に非接触充電器を置いて充電しようとする場合、このスペースにうまく収まらず、携帯端末がへりに当たって傾いてしまい、へりよりも低い充電面上に載置して充電することができないことがある。また仮にドリンクホルダーに挿入可能な非接触充電器を作成した場合、受電する載置面が低いため、携帯端末がへりに当たってしまい載置することができず充電できない。
【先行技術文献】
【特許文献】
【０００４】
【特許文献１】特開２０１６−３４２３１号公報
【考案の概要】
【考案が解決しようとする課題】
【０００５】
本考案が解決しようとする課題は、上記従来技術の問題点に鑑み、狭隘な箇所であってもワイヤレス給電方式の携帯端末を充電可能な非接触充電器、センターコンソールを提供することにある。
【課題を解決するための手段】
【０００６】
本考案は、上記課題を解決するための第１の手段として、車両のドリンクホルダーに着脱するケーシングと、
前記ケーシングの上面に設けて携帯端末を載せて充電可能な充電手段と、
前記ケーシングの内部に設けて前記充電手段を待機位置から上方の充電位置へ付勢する付勢部と、前記充電手段を前記待機位置で仮止めする係合部からなる昇降手段を備えたことを特徴とする非接触充電器を提供することにある。
上記第１の手段によれば、充電面をケーシングの上面からせり上げることでき、例えば、狭隘な凹状スペースのへりよりも充電面が高くなり、安定した状態で携帯端末を載置でき充電できる。特にセンターコンソールのカバー付ドリンクホルダーに取り付けた場合、充電位置ではホルダー周辺のへりよりも充電手段の上面を高くすることができる。一方、待機位置では、ドリンクホルダー内に収めることができカバーに干渉することがなく、充電器を装着したままホルダーをカバーで覆うことができる。これにより、携帯端末の充電後に充電器を取り外す作業が必要なくカバーの開閉動作が煩わしくない。また、カバーで覆うことにより充電器が車外から見えなくなり防犯性が高まる。またドリンクホルダーのスペースを有効活用して車両内を整理整頓できる。
【０００７】
本考案は、上記課題を解決するための第２の手段として、第１の手段において、前記充電手段は、前記携帯端末に吸着する摩擦係数の大きい部材を載置面に設けたことを特徴とする非接触充電器を提供することにある。
上記第２の手段によれば、車両の振動等により充電中の携帯端末が載置面から移動又は落下することを防止でき、安定して充電できる。
【０００８】
本考案は、上記課題を解決するための第３の手段として、第１又は第２の手段において、前記付勢部は、前記待機位置から前記充電位置への付勢力を段階的に緩和するダンパーを設けたことを特徴とする非接触充電器を提供することにある。
上記第３の手段によれば、せり上がる充電手段と上方の障害物、例えばカバー等との衝突力を緩和して破損を防止できる。
【０００９】
本考案は、上記課題を解決するための第４の手段として、第１ないし第３のいずれか１の手段において、前記充電手段の充電面を所定角度に傾ける角度調整部を備えたことを特徴とする非接触充電器を提供することにある。
上記第４の手段によれば、充電中の携帯端末の画面をユーザの見やすい方向に向けることができる。
【００１０】
本考案は、上記課題を解決するための第５の手段として、カバーで上面開口が覆われる凹部を有するセンターコンソールにおいて、
前記凹部の上面に設けて携帯端末を載せて充電可能な充電手段と、
前記凹部の内部に設けて前記充電手段を前記カバーが閉じた待機位置から前記カバーが開いた上方の充電位置へ付勢する付勢部と、前記充電手段を前記待機位置で仮止めする係合部からなる昇降手段を備えたことを特徴とするセンターコンソールを提供することにある。
【００１１】
上記第５の手段によれば、充電面をセンターコンソールの上面からせり上げることができ、安定した状態で携帯端末を載置かつ充電できる。充電位置ではホルダー周辺のへりよりも充電手段の上面を高くすることができる。一方、待機位置では、ドリンクホルダー内に収めることができカバーに干渉することがなく充電器を装着したままホルダーをカバーで覆うことができる。
【考案の効果】
【００１２】
本考案によれば、充電面をケーシングの上面からせり上げることでき、例えば、狭隘な凹状スペースのへりよりも充電面が高くなり、安定した状態で携帯端末を載置でき充電できる。
【図面の簡単な説明】
【００１３】
【図１】本考案の非接触充電器の分解斜視図である。
【図２】本考案の非接触充電器の待機位置の斜視図である。
【図３】本考案の非接触充電器の待機位置の中央断面斜視図である。
【図４】本考案の非接触充電器の充電位置の斜視図である。
【図５】本考案の非接触充電器の充電位置の中央断面斜視図である。
【図６】変形例１の非接触充電器の充電位置の中央断面斜視図である。
【図７】変形例１のトーションばねの斜視図である。
【図８】変形例１の非接触充電器の待機位置の斜視図である（充電手段は省略）。
【図９】変形例１，２の外筒及び内筒の斜視図（外筒は一部断面）である。
【図１０】変形例２の非接触充電器の充電位置の斜視図である。
【図１１】変形例２の非接触充電器の待機位置の斜視図である。
【図１２】変形例２のゼンマイばねの斜視図である。
【図１３】図１０のＡ−Ａ矢視断面図である（充電手段を除く）。
【図１４】図１１のＢ−Ｂ矢視断面図である（充電手段を除く）。
【図１５】角度調整部の説明図である。
【図１６】本考案のセンターコンソールの待機位置の説明図である。
【図１７】本考案のセンターコンソールの充電位置の説明図である。
【図１８】従来のセンターコンソールの説明図である。
【考案を実施するための形態】
【００１４】
本考案の非接触充電器、センターコンソールの実施形態について、添付の図面を参照しながら、以下詳細に説明する。
【００１５】
［非接触充電器１０］
図１は本考案の非接触充電器の分解斜視図である。図２は本考案の非接触充電器の待機位置の斜視図である。図３は本考案の非接触充電器の待機位置の中央断面斜視図である。図４は本考案の非接触充電器の充電位置の斜視図である。図５は本考案の非接触充電器の充電位置の中央断面斜視図である。
本考案の非接触充電器１０は、車両のドリンクホルダーに着脱可能なケーシング２０と、ケーシング２０の上面に設けて携帯端末を載せて充電可能な充電手段３０と、ケーシング２０の内部に設けて充電手段３０を待機位置から上方の充電位置へ付勢する付勢部４２と、充電手段３０を待機位置で仮止めする係合部４４からなる昇降手段４０を備えている。
【００１６】
ケーシング２０は、ペットボトル、飲料容器などの底面側の凹形状とほぼ同形状であって、車両のドリンクホルダーに着脱可能な大きさに形成され、かつ上面開口を有する容器である。ケーシング２０は内部に外筒２２及び内筒２４を有している。
外筒２２は、前記ケーシング２０に収容可能とし、ケーシング２０内に固定され、かつ上面開口を有する容器であり、内壁に等間隔で後述するダンパー２４ａのレール溝２２ａを複数（本実施形態では３つ）有している。このレール溝２２ａは、底面から上面開口に向けて直線上に等間隔で歯が刻まれたラック状に形成されている。
内筒２４は、前記外筒２２に収容可能とし、かつ上面開口を有する容器である。内筒２４は、外周の下端であって、外筒２２のレール溝２２ａと対向する箇所にダンパー２４ａを有している。ダンパー２４ａはレール溝２２ａのラック（平板状の歯）にかみ合うピニオン（歯車）を有している。
【００１７】
充電手段３０は、内筒２４の上面開口を覆う蓋状に形成されている。充電手段３０は、一般の電力伝送方式を採用した構成であり、例えば、電磁誘導、磁界共振などの方式を適用したものであり、上面の給電コイルに携帯電話などの携帯端末を載置するのみで給電が行われる。なお充電手段３０は、電源ケーブル（不図示）を介して車両などの外部電源と接続可能に構成している。また充電手段３０は、携帯端末を載置する上面に摩擦係数の大きい部材、例えばエラストマーなどを貼り付けている。なお摩擦係数の大きい部材は、充電に支障がない厚み（例えば３ｍｍ以下等）に設定している。
【００１８】
昇降手段４０は、外筒２２及び内筒２４の間に設けて、ケーシング２０から内筒２４をせり上げる（少なくとも車両（センターコンソール）のドリンクホルダーの上面開口から周囲のへりよりも上方へ突出させる）手段である。昇降手段４０は、付勢部４２と、係合部４４からなる。
付勢部４２は、外筒２２内の内筒２４を上面開口側へ付勢するものであり、本実施形態では一例としてコイルばね（圧縮）を適用している。
係合部４４は、ピン穴４４ａとラッチピン４４ｂからなり、ピン穴４４ａにラッチピン４４ｂを差し込むことによりフックがピンに引っ掛かり係合できる。解除する場合は、ラッチピン４４ｂをさらに押し込むことにより、ピン穴４４ａ内のフックが外れて解除できる。本実施形態では内筒２４の下面中心にラッチピン４４ｂを、外筒２２の内部上面中心にピン穴４４ａを取り付けている。そして、この係合部４４を囲むように付勢部４２のコイルばねを配置している。このような昇降手段４０の構成により、内筒２４が外筒２２内に収まった状態を待機位置とし、充電手段３０を押下して内筒２４が外筒２２からせり上がった状態を充電位置としている。このとき、ダンパー２４ａによって付勢力が緩和されて外筒２２から内筒２４をゆっくり上昇させることができる。なおダンパー２４ａは付勢力を段階的（２段階、３段階…等）に緩和するように構成することもできる。
【００１９】
このような構成の非接触充電器１０は、センターコンソールのカップホルダに取り付けて携帯端末を充電できる。その際、充電手段３０を押下してケーシング２０から内筒２４をせり上げることにより、凹状スペースのへりよりも充電面を高くでき、へりに当たることなく携帯端末を上面に載置して充電できる。一方、待機位置では、ドリンクホルダー内に収めることができカバーに干渉することがなくカバーで覆うことができる。これにより、携帯端末の充電後に充電器を取り外す作業が必要なく煩わしくない。また、カバーで覆うことにより充電器が車外から見えなくなり防犯性が高まる。また非接触充電器の設置場所としてドリンクホルダーのスペースを有効活用して車両内を整理整頓できる。
【００２０】
次に変形例の非接触充電器について以下説明する。なお変形例１，２の非接触充電器は、図１−５に示すダンパーではなく、図９に示す螺旋溝５０を内筒２４の外周及び外筒２２の内周に螺合可能に設けて、内筒２４が回転しながら昇降する構成を採用している。また外筒２２の内部中心に付勢部４２を固定可能な筒体２６を有している（図６，８参照）。
［変形例１］
図６は変形例１の非接触充電器の充電位置の中央断面斜視図である。図７は変形例１のトーションばねの斜視図である。図８は変形例１の非接触充電器の待機位置の斜視図である（充電手段は省略）。変形例１の非接触充電器１０Ａは、付勢部にトーションばね（圧縮）４２ａを採用している。このトーションばね４２ａは、外筒２２の筒体２６に巻き付けている。そして内筒２４は筒体２６及びトーションばね４２ａが貫通する中心孔２４ｂを有し、さらにトーションばね４２ａの支持棒４２１が貫通する小孔２４ｃを有している（図６参照）。
このような構成の変形例１の非接触充電器１０Ａは、充電位置から待機位置へ変化させる場合、充電手段３０を押し込む。このとき内筒２４が回転しながら外筒２２内に収容される。トーションばね４２ａは支持棒４２１が小孔２４ｃで固定されている。このため、内筒２４の回転に連動して支持棒４２１も回転してばね全体を縮小させる力が作用する。待機位置では、トーションばね４２ａが圧縮した状態となる（係合部（不図示）の係合状態）。
待機位置から充電位置に変化させる場合、充電手段３０を押下すると係合部が解除されて、トーションばね４２ａの付勢力（伸長する力）によって内筒２４が外筒２２から回転しながら螺旋溝５０によってゆっくりせり上がり、充電位置となる。
【００２１】
［変形例２］
図１０は変形例２の非接触充電器の充電位置の斜視図である。図１１は変形例２の非接触充電器の待機位置の斜視図である。図１２は変形例２のゼンマイばねの斜視図である。図１３は図１０のＡ−Ａ矢視断面図である（充電手段を除く）。図１４は図１１のＢ−Ｂ矢視断面図である（充電手段を除く）。変形例２の非接触充電器１０Ｂは、付勢部にゼンマイばね４２ｂを採用している。ゼンマイばね４２ｂは両端を折り曲げ、それぞれ内側端４２２と外側端４２３を有し、中心から外側に向けて（拡径方向へ）広がるように付勢する圧縮ばねである。（図１２参照）。内筒２４は、第１筒体２４ｄを有し、外筒２２は第２筒体２２ｂを有している。第２筒体２２ｂは第１筒体２４ｄよりも小径とし、第１及び第２筒体２２ｂ，２４ｄの間にはゼンマイばね４２ｂを配置している。また第１及び第２筒体２２ｂ，２４ｄはいずれも長手方向に沿ってスリット（切り欠き）を設けている。そしてゼンマイばね４２ｂの内側端４２２を第２筒体２２ｂのスリットに、外側端４２３を第１筒体２４ｄのスリットにはめ合わせて固定している。係合部４４は、内筒２４の中央にラッチピン４４ｂと、外筒２２の第２筒体２２ｂの内部にピン孔４４ｂを有している。
【００２２】
このような構成の変形例２の非接触充電器１０Ｂは、充電位置から待機位置へ変化させる場合、充電手段３０を押し込む。このとき内筒２４が回転しながら外筒２２内に収容される。ゼンマイばね４２ｂの内側端及び外側端４２２，４２３はそれぞれ第２及び第１筒体２２ｂ，２４ｄで固定されている。このため、内筒２４の回転に連動してゼンマイばね４２ｂも回転してばね全体を縮小させる力が作用する。待機位置では、ゼンマイばね４２ｂが圧縮した状態で係合部４４により係合状態となる。
待機位置から充電位置に変化させる場合、充電手段３０を押下すると係合部４４が解除されて、ゼンマイばね４２ｂの付勢力（伸長する力）によって内筒２４が外筒２２から回転しながら螺旋溝５０によってゆっくりせり上がり、充電位置となる。
【００２３】
［変形例３］
図１５は角度調整部の説明図であり、（１）は充電位置かつ傾斜位置の斜視図、（２）は充電位置の斜視図、（３）は待機位置の斜視図、（４）は充電位置かつ傾斜位置の中央断面の側面図、（５）は充電位置の中央断面の側面図である。
変形例３の非接触充電器１０Ｃは、角度調整部６０を有している。その他の構成は、非接触充電器１０，１０Ａ，１０Ｂのいずれか１の構成と同一である。
角度調整部６０は、ヒンジ６２とクランプ６４とトーションばね６６と第２係合部６８からなる。ヒンジ６２は、内筒２４の上面で充電手段３０の下部に軸心を水平方向に配置した棒状の部材である。クランプ６４は内側でヒンジ６２を挟むＵ字状の部材であり、充電手段３０の裏面に取り付けている。トーションばね６６は、一端の支持片を内筒２４の内側に取り付けて、他端の支持片を充電手段３０の裏面に取り付けて、充電手段３０を内筒２４の上面開口からヒンジ６２を軸心として回転して上方へ所定角度傾斜する方向に付勢している。そして、内筒２４の上面開口に第２係合部６８を取り付けている。
このような構成の非接触充電器１０Ｃは、昇降手段４０により待機位置から充電位置に移動した後、第２係合部６８を押下して充電手段３０を内筒２４から所定角度傾斜させることができ、携帯端末の画面をユーザの見やすい位置に向けることができる。
【００２４】
［センターコンソール１００］
図１６は本考案のセンターコンソールの待機位置の説明図であり、（１）は斜視図（カバーを開けた状態）、（２）は中央断面の側面図である（カバーを閉じた状態）。図１７はセンターコンソールの充電位置の説明図であり、（１）は斜視図、（２）は中央断面の側面図である。図示のようにセンターコンソール１００は、従来のドリンクホルダー１０１の設置個所にあらかじめ非接触充電器を取り付けている。この充電器は図１−１５に示す充電器のうちいずれか１の充電器と同一構成を採用している。センターコンソール１００は、カバー（本実施形態ではスライド式）１０２で上面開口が覆われる凹部１０４を有し、この凹部１０４の上面に設けて携帯端末を載せて充電可能な充電手段３０と、凹部１０４の内部に設けて充電手段３０をカバー１０２が閉じた待機位置からカバー１０２が開いた上方の充電位置へ付勢する付勢部と、充電手段３０を待機位置で仮止めする係合部からなる昇降手段（不図示）を備えている。
このような構成のセンターコンソールによれば、充電面をセンターコンソールの上面からせり上げることでき、安定した状態で携帯端末を載置かつ充電できる（図１７参照）。一方、待機位置では、ドリンクホルダー内に収めることができカバーに干渉することがなくカバーで覆うことができる（図１６参照）。これにより、携帯端末の充電後に充電器を取り外す作業が必要なく煩わしくない。また、カバーで覆うことにより充電器が車外から見えなくなり防犯性が高まる。またドリンクホルダーのスペースを有効活用してセンターコンソールの周辺を整理整頓できる。
【００２５】
以上、本考案の好ましい実施形態について説明した。しかしながら、本考案は、上記実施形態に何ら制限されることなく、本考案の主旨を逸脱しない範囲において、種々の変更が可能である。
また、本考案は、実施形態において示された組み合わせに限定されることなく、種々の組み合わせによって実施可能である。
【産業上の利用可能性】
【００２６】
本考案は、特にＱｉ規格に準拠した各種携帯端末を充電可能な非接触充電器、センターコンソールの分野おいて産業上の利用可能性を有する。
【符号の説明】
【００２７】
１  センターコンソール
２  ドリンクホルダー
３  小物入れ
４  カバー
１０，１０Ａ，１０Ｂ，１０Ｃ  非接触充電器
２０  ケーシング
２２  外筒
２２ａ  レール溝
２２ｂ  第２筒体
２４  内筒
２４ａ  ダンパー
２４ｂ  中心孔
２４ｃ  小孔
２４ｄ  第１筒体
２６  筒体
３０  充電手段
４０  昇降手段
４２  付勢部
４２ａ  トーションばね
４２ｂ  ゼンマイばね
４２１  支持棒
４２２  内側端
４２３  外側端
４４  係合部
４４ａ  ピン穴
４４ｂ  ラッチピン
５０  螺旋溝
６０  角度調整部
６２  ヒンジ
６４  クランプ
６６  トーションばね
６８  第２係合部
１００  センターコンソール
１０２  カバー
１０４  凹部
【図１】
0003219673.tif 000003
【図２】
0003219673.tif 000004
【図３】
0003219673.tif 000005
【図４】
0003219673.tif 000006
【図５】
0003219673.tif 000007
【図６】
0003219673.tif 000008
【図７】
0003219673.tif 000009
【図８】
0003219673.tif 000010
【図９】
0003219673.tif 000011
【図１０】
0003219673.tif 000012
【図１１】
0003219673.tif 000013
【図１２】
0003219673.tif 000014
【図１３】
0003219673.tif 000015
【図１４】
0003219673.tif 000016
【図１５】
0003219673.tif 000017
【図１６】
0003219673.tif 000018
【図１７】
0003219673.tif 000019
【図１８】
0003219673.tif 000020